(57)【要約】【課題】綴じられている原稿をばらすことなく，簡便な作業で原稿の両面読み取りが可能な画像読取装置を提供すること。【解決手段】ＭＦＰ１００の手差し読取部５０は，スキャン部５１とスキャン部５２との２つの読取手段を備える。読み取り対象となる原稿９１は，手差し口５９から挿入され，搬入ローラ５３によって各スキャン部の読取位置に搬送される。そして，ＭＦＰ１００は，原稿９１の両面を１回の搬送で読み取る。また，ＭＦＰ１００は，原稿９１の搬入前に原稿９１の用紙サイズを取得する。そして，原稿９１の搬入後，取得したサイズに対応する距離だけ原稿９１を搬送し，その後は搬送を停止する。【選択図】            図２
2010124116.tif 000002
【特許請求の範囲】
【請求項１】
原稿の搬送長の指定を受け付ける受付手段と，
原稿を装置内に搬入し，その原稿について前記受付手段が受け付けた長さ分の距離を搬送した時点で搬送動作を停止する搬送手段と，
前記搬送手段によって搬送される原稿の，第１面を読み取る第１読取手段と，
前記搬送手段によって搬送される原稿の，前記第１面の裏面である第２面を読み取る第２読取手段とを備えることを特徴とする画像読取装置。
【請求項２】
原稿の綴じ込み部を検出する検出手段と，
原稿を装置内に搬入し，その原稿について前記検出手段が綴じ込み部を検出した時点で搬送動作を停止する搬送手段と，
前記搬送手段によって搬送される原稿の，第１面を読み取る第１読取手段と，
前記搬送手段によって搬送される原稿の，前記第１面の裏面である第２面を読み取る第２読取手段とを備えることを特徴とする画像読取装置。
【請求項３】
請求項２に記載する画像読取装置において，
前記検出手段は，綴じ込み部の規定位置への到達を検知することで，綴じ込み部の検出を判断することを特徴とする画像読取装置。
【請求項４】
請求項２に記載する画像読取装置において，
前記検出手段は，前記搬送手段の搬送抵抗の変動を検知することで，綴じ込み部の検出を判断することを特徴とする画像読取装置。
【請求項５】
請求項１から請求項４のいずれか１つに記載する画像読取装置において，
前記搬送手段は，一対のローラ部材がニップを形成し，原稿がニップを通過することで原稿を搬送可能にし，搬送動作を停止した後に，当該ニップを解除することを特徴とする画像読取装置。
【請求項６】
請求項１から請求項４のいずれか１つに記載する画像読取装置において，
前記搬送手段は，搬送動作を停止した後に，原稿を逆搬送する逆搬送動作を開始することを特徴とする画像読取装置。
【請求項７】
請求項１から請求項６のいずれか１つに記載する画像読取装置において，
前記搬送手段が搬送動作を停止することで，前記第１読取手段および前記第２読取手段の読取動作を終了することを特徴とする画像読取装置。
【請求項８】
請求項１から請求項７のいずれか１つに記載する画像読取装置において，
前記第１読取手段および前記第２読取手段の読取動作によって得られた画情報を基に，両面印刷を行う印刷手段を備えることを特徴とする画像読取装置。
【請求項９】
請求項８に記載する画像読取装置において，
原稿画像と印刷画像とで，原稿の搬送方向の先端側の位置を合わせることを特徴とする画像読取装置。
【発明の詳細な説明】
【技術分野】
【０００１】
本発明は，両面読取機能を有する画像読取装置に関する。さらに詳細には，一端が綴じられた原稿の両面を読み取ることが可能な画像読取装置に関するものである。
【背景技術】
【０００２】
従来から，原稿の両面を読み取る両面読取機能を有する画像読取装置がある。例えば，原稿の自動搬送装置（ＡＤＦ）を備える画像読取装置では，機械的に原稿を反転させる機構を設けて片面ずつ原稿を読み取る。また，フラットベッドガラス上に原稿を載置して読み取る場合では，本の見開き２ページ分を読み取る装置が実用化されている。また，例えば特許文献１には，表面用の画像読取部と裏面用の画像読取部とを備え，原稿を反転させることなく両面の読み取りを行う画像読取装置が開示されている。
【特許文献１】特開平１１−１４６１５３号公報
【発明の開示】
【発明が解決しようとする課題】
【０００３】
しかしながら，前記した従来の画像読取装置では，一端が綴じられた冊子であって，その中の１枚の表裏のページを両面読取の対象とすると，その読み取りが簡単ではない。すなわち，一端が綴じられた状態では，ＡＤＦでの自動搬送が困難である。一方，フラットベッドに載置した場合では，見開き分の２ページあるいはそのうちの一方のページを読み取ることはできるが，表裏のページについては１回の作業で読み取ることができない。つまり，２回の作業が必要となり，煩雑である。また，作業を１回で済ますには綴じている部分をばらせばよいが，原稿を傷めてしまうおそれがある。
【０００４】
本発明は，前記した従来の画像読取装置が有する問題点を解決するためになされたものである。すなわちその課題とするところは，綴じられている原稿をばらすことなく，簡便な作業で原稿の両面読み取りが可能な画像読取装置を提供することにある。
【課題を解決するための手段】
【０００５】
この課題の解決を目的としてなされた画像読取装置は，原稿の搬送長の指定を受け付ける受付手段と，原稿を装置内に搬入し，その原稿について受付手段が受け付けた長さ分の距離を搬送した時点で搬送動作を停止する搬送手段と，搬送手段によって搬送される原稿の，第１面を読み取る第１読取手段と，搬送手段によって搬送される原稿の，第１面の裏面である第２面を読み取る第２読取手段とを備えることを特徴としている。
【０００６】
本発明の画像読取装置は，原稿の搬送長の指定を受け付ける。長さの指定は，数値を直接入力してもよいし，Ａ３，Ａ４，Ｂ５，レター等の用紙サイズを選択してもよい。また，本発明の画像読取装置は，第１読取手段と第２読取手段との２つの読取手段を備え，それら読取手段の読取位置に向けて原稿を搬送し，両面を読み取る。このとき，原稿を，指定された長さ分だけ搬送し，その後は搬送を停止する。
【０００７】
すなわち，本発明の画像読取装置では，指定された長さ分までしか原稿を搬送しない。つまり，原稿が搬送路を通り抜けて下流側に排紙されることはない。そのため，冊子のような一端が綴じられた原稿であっても搬送対象とすることができる。勿論，綴じられている原稿をばらす必要もない。また，２つの読取手段によって原稿の両面を１回の搬送作業で読み取ることができる。よって，簡便な作業で原稿の両面読み取りが可能になる。
【０００８】
また，本発明は，原稿の綴じ込み部を検出する検出手段と，原稿を装置内に搬入し，その原稿について検出手段が綴じ込み部を検出した時点で搬送動作を停止する搬送手段と，搬送手段によって搬送される原稿の，第１面を読み取る第１読取手段と，搬送手段によって搬送される原稿の，第１面の裏面である第２面を読み取る第２読取手段とを備えることを特徴とする画像読取装置を含んでいる。
【０００９】
すなわち，上記の画像読取装置では，原稿の綴じ込み部を検知した時点で搬送動作を停止している。つまり，原稿が搬送路を通り抜けて下流側に排紙されることはない。そのため，冊子のような一端が綴じられた原稿であっても搬送対象とすることができる。勿論，綴じられている原稿をばらす必要もない。また，２つの読取手段によって原稿の両面を１回の搬送作業で読み取ることができる。よって，簡便な作業で原稿の両面読み取りが可能になる。
【００１０】
検出手段としては，例えば，綴じ込み部の規定位置への到達を検知することで，綴じ込み部の検出を判断するとよい。このような構成にすることで，原稿に負荷がかかる前に搬送を停止することができ，原稿へのダメージを少なくすることが期待できる。また，綴じ込み部を自動検知して原稿の搬送距離を決定することで，ユーザの手間が少ない。
【００１１】
上記の検出手段の他，例えば，搬送手段の搬送抵抗の変動を検知することで，綴じ込み部の検出を判断してもよい。このような構成にすることで，ユーザが手動で搬送停止を決定でき，読取範囲の自由度が大きい。また，綴じられた原稿の搬送を継続すると，綴じ込み部分が原稿の進入を阻むことによって搬送抵抗が増加する。そのため，原稿の搬送を自動的に停止することになる。よって，使い勝手が良い。
【００１２】
また，本発明の画像読取装置の搬送手段は，一対のローラ部材がニップを形成し，原稿がニップを通過することで原稿を搬送可能にし，搬送動作を停止した後に，当該ニップを解除するとよりよい。すなわち，ローラ部材のニップを解除することで，原稿を容易に取り出すことができ，原稿へのダメージを少なくすることが期待できる。また，原稿を素早く取り出すことができる。
【００１３】
また，本発明の画像読取装置の搬送手段は，搬送動作を停止した後に，原稿を逆搬送する逆搬送動作を開始するとよりよい。すなわち，逆搬送動作を行うことで，搬送停止後の原稿を容易に取り出すことができ，原稿へのダメージを少なくすることが期待できる。また，原稿の取り出し作業が不要で，使い勝手が良い。
【００１４】
また，本発明の画像読取装置は，搬送手段が搬送動作を停止することで，第１読取手段および第２読取手段の読取動作を終了するとよりよい。これにより，余計な読取動作は行われない。
【００１５】
また，本発明の画像読取装置は，第１読取手段および第２読取手段の読取動作によって得られた画情報を基に，両面印刷を行う印刷手段を備えるとよりよい。これにより，冊子の原稿の複写物が直ちに得られる。
【００１６】
また，本発明の画像読取装置は，原稿画像と印刷画像とで，原稿の搬送方向の先端側の位置を合わせるとよりよい。すなわち，両画像の用紙上の配置について，原稿と印刷物とで合わせることで，原本と一致度合いが高い複写画像が得られる。
【発明の効果】
【００１７】
本発明によれば，綴じられている原稿をばらすことなく，簡便な作業で原稿の両面読み取りが可能な画像読取装置が実現される。
【発明を実施するための最良の形態】
【００１８】
以下，本発明にかかる画像読取装置を具体化した実施の形態について，添付図面を参照しつつ詳細に説明する。本形態は，スキャン機能，プリント機能，コピー機能，ＦＡＸ機能等の複数の機能を有する複合機（ＭＦＰ）に本発明を適用したものである。
【００１９】
［ＭＦＰの構成］
本形態のＭＦＰ１００は，図１に示すように，用紙に画像を印刷する画像形成部１０（印刷手段の一例）と，原稿の画像を読み取る画像読取部２０とを備えている。画像形成部１０の画像形成方式は，電子写真方式であっても，インクジェット方式であってもよい。また，カラー画像の形成が可能であっても，モノクロ画像専用であってもよい。
【００２０】
画像読取部２０の前面側には，液晶ディスプレイからなる表示部４１，各種のボタン（例えば，スタートキー，ストップキー，テンキーの各ボタン）によって構成されるボタン群４２等を備えた操作パネル４０（受付手段の一例）が設けられている。この表示部４１やボタン群４２により，動作状況の表示やユーザによる操作の入力が可能になっている。
【００２１】
また，画像読取部２０の側面側には，手差し読取用の手差し口５９が設けられている。画像読取部２０では，手差し口５９から原稿を１枚ずつ挿入することで，手動で原稿を装置内に搬入して原稿の読み取りを行うことができる。
【００２２】
［画像読取部の構成］
画像読取部２０は，図２に示すように，原稿の画像の読み取りを行うスキャン部２１と，原稿の自動搬送を行うＡＤＦ（Auto Document Feeder：自動原稿供給装置）２２とを備えている。画像読取部２０は，ＡＤＦ２２によって原稿が自動搬送される際には，スキャン部２１を原稿押さえ２８と対向する位置に固定し，自動搬送される原稿の画像を読み取る。また，プラテンガラス２３上に原稿が載置される際には，副走査方向（図２の矢印Ａ方向）に移動しながら原稿の画像を読み取る。
【００２３】
ＡＤＦ２２は，原稿トレイ２４と，排出トレイ２５と，搬送ローラ２９と，原稿押さえ２８とを備え，その内部には，原稿トレイ２４，搬送ローラ２９，原稿押さえ２８，排紙トレイ２５の順に経由する搬送路２６が設けられている。具体的に，ＡＤＦ２２は，原稿トレイ２４に載置された原稿を１枚ずつ取り出す。そして，その原稿を，搬送ローラ２９を介してＵターンさせ，原稿押さえ２８とスキャン部２１とが対向する位置に搬送する。そして，スキャン部２１が主走査方向に１ラインずつ原稿の画像を読み取る。その後，その原稿を排出トレイ２５上に排出する。
【００２４】
また，画像読取部２０は，スキャン部２１よりも下側に，手差し口５９から送り込まれた原稿９１の画像を読み取る手差し読取部５０を備えている。手差し読取部５０は，原稿９１の画像の読み取りを行う２つのスキャン部５１，５２（第１読取手段，第２読取手段の一例）と，手差し口５９の近傍に配置され，原稿９１を搬送路５６に送り込む搬入ローラ５３（搬送手段，検出手段の一例）と，搬入ローラ５３の近傍に位置し，原稿９１の通過を検知する原稿検出センサ５５とを備えている。原稿検出センサ５５には，例えば光電センサが適用可能である。
【００２５】
スキャン部５１，５２は，手差し読取用の搬送路５６を挟んで対向配置されており，スキャン部５１が原稿９１の一方の面の画像を読み取り，スキャン部５２が原稿９１の他方の面の画像を読み取る。本実施例において，スキャン部５１，５２は，固定配置されており，スキャン部２１のような移動スペースを必要としない。
【００２６】
また，画像読取部２０のハウジングの外側側面には，手差し口５９を挟んで対向配置された２つの綴じ込み検出センサ５７，５８（検出手段の一例）が付設され，用紙束９０の接近を検知する。具体的には，図２に示したように，ハウジング内に取り込まれる原稿９１と一体の用紙束９０の接近を検知する。綴じ込み検出センサ５７，５８としては，例えば光学センサやメカニカルセンサが適用可能である。
【００２７】
手差し読取部５０は，手差し口５９から挿入された原稿９１を，スキャン部５１とスキャン部５２とが対向する位置に向かって搬送する。そして，スキャン部５１，５２が主走査方向に１ラインずつ原稿９１の画像を読み取る。その後，その原稿９１の搬送を停止し，搬送方向の逆向きに原稿９１が取り出される。手差し両面読み取りの詳細については後述する。
【００２８】
［ＭＦＰの電気的構成］
続いて，ＭＦＰ１００の電気的構成について説明する。ＭＦＰ１００は，図３に示すように，ＣＰＵ３１と，ＲＯＭ３２と，ＲＡＭ３３と，ＮＶＲＡＭ３４と，ＡＳＩＣ３５と，ネットワークインタフェース３６と，ＦＡＸインタフェース３７とを備えた制御部３０を有している。
【００２９】
ＣＰＵ３１は，ＭＦＰ１００における画像読取機能，画像形成機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００３０】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素（例えば，画像形成部１０を構成する露光装置の点灯タイミング，用紙の搬送路を構成する各種ローラの駆動モータ（不図示），画像読取部２０を構成するイメージセンサユニットの移動用モータ（不図示））を，ＡＳＩＣ３５を介して制御する。
【００３１】
ネットワークインターフェース３６は，インターネット等のネットワークに接続され，ＰＣ等の情報処理装置との接続を可能にしている。ＦＡＸインターフェース３７は，電話回線に接続され，相手先のＦＡＸ装置との接続を可能にしている。そして，ネットワークインターフェース３６やＦＡＸインターフェース３７を介してジョブのやりとりを行うことができる。
【００３２】
［ＭＦＰの手差し両面印刷処理］
［第１の形態］
続いて，ＭＦＰ１００にて手差し口５９を利用して両面印刷を行う手差し両面印刷処理（受付手段，搬送手段，第１読取手段，第２読取手段，印刷手段の一例）の手順について，図４のフローチャートを参照しつつ説明する。本処理は，操作パネル４０にて手差し両面印刷の開始が指示されたことを契機に実行される。
【００３３】
まず，用紙サイズ（Ａ４，Ａ３，Ｂ５等）や用紙タイプ（普通紙，厚紙等）等の用紙情報をユーザに選択させ，読み取り対象となる原稿９１の用紙情報を取得する（Ｓ１００）。用紙情報としては，用紙長等を数値入力するように構成してもよい。
【００３４】
次に，図５に示すように，表示部４１に，手差し両面印刷処理が開始したことを通知するメッセージを表示する（Ｓ１０１）。なお，通知方法は，メッセージに限らず，例えば音声であってもよい。
【００３５】
通知後，搬入ローラ５３を駆動し，原稿９１の搬送を開始する（Ｓ１０２）。その後，原稿検出センサ５５が原稿９１を検知したか否かを判断する（Ｓ１０３）。原稿９１を検知していない場合には（Ｓ１０３：ＮＯ），原稿９１の検知を継続する。一方，原稿９１を検知した場合には（Ｓ１０３：ＹＥＳ），その検知タイミングを基準として，所定期間の経過後に原稿９１の読み取りを開始する（Ｓ１０４）。このとき，スキャン部５１によって一方の面の原稿画像が，スキャン部５２によって他方の面の原稿画像が読み取られる。すなわち，１回の搬送動作によって両面の原稿画像が一度に読み取られる。
【００３６】
次に，搬送終了処理１にて，原稿９１の搬送を停止させる（Ｓ１０５）。図６は，Ｓ１０５の搬送終了処理１の手順を示している。まず，原稿９１の搬送距離の閾値となる規定の搬送距離Ｌを取得する（Ｓ２０１）。この搬送距離Ｌは，用紙サイズによって異なり，用紙サイズごとにＭＦＰ１００に記憶されている。
【００３７】
次に，原稿検出センサ５５が原稿９１を検知してからの搬送距離が，規定の搬送距離Ｌよりも長いか否かを判断する（Ｓ２０２）。搬送距離が短い場合には（Ｓ２０２：ＮＯ），原稿９１の搬送を継続する。一方，搬送距離が長い場合には（Ｓ２０２：ＹＥＳ），すなわち規定の搬送距離Ｌの搬送を終えた場合には，搬送を停止する（Ｓ２０３）。
【００３８】
図４の手差し両面印刷処理の説明に戻り，Ｓ１０５での搬送終了後は，スキャン部５１，５２による原稿９１の両面読み取りを終了する（Ｓ１０６）。これにより，原稿９１の両面の画像データが得られる。読み取り終了後は，その旨を通知するメッセージを表示部４１に表示する（Ｓ１０７）。
【００３９】
次に，排紙処理１にて，原稿９１を排紙する（Ｓ１０８）。図７は，Ｓ１０８の排紙処理１の手順を示している。まず，搬入ローラ５３を含む手差し両面読取用の搬送路５６を構成する搬送ローラのニップをすべて解除する（Ｓ３０１）。これにより，ＭＦＰ１００が原稿９１を挟持しなくなるため，原稿９１の引き抜きが容易になり，素早く取り出すことができる。また，引き抜きの際の原稿９１へのダメージが少ない。
【００４０】
次に，原稿９１が排出されたか否かを判断する（Ｓ３０２）。すなわち，原稿検出センサ５５にて原稿９１が検知されなくなったか否かを判断する。原稿９１を検知している場合には（Ｓ３０２：ＮＯ），ニップの解除状態を継続する。一方，原稿９１を検知しなくなった場合には（Ｓ３０２：ＹＥＳ），所定時間の経過後に搬送ローラのニップを形成し直す（Ｓ３０３）。ニップを元に戻すことで，手差し両面印刷処理を実行していない間の原稿等の進入を回避する。また，原稿９１が挿入された状態で手差し両面印刷処理が開始される不適切な状態を回避できる。
【００４１】
図４の手差し両面印刷処理の説明に戻り，Ｓ１０８での排紙後は，読み取った画像データを基に両面印刷を行う（Ｓ１０９）。両面印刷後は，本処理を終了する。
【００４２】
なお，印刷処理の際，印刷画像の用紙上での配置については，原稿画像の用紙上での配置と合致させる。例えば，図８に示すように，原稿９１が点線の位置までしか読み取られなかった場合，用紙９５にはその点線までの画像が印刷されることになる。このとき，原稿画像と印刷画像とで，原稿９１の搬送方向の先端側の位置を合わせる。図８中，（Ａ）は手差し読み取りの際に上側を向く原稿面（スキャン部５１と対向する原稿面）およびそれに対応する用紙面（印刷結果）を示し，（Ｂ）は手差し読み取りの際に下側を向く原稿面（スキャン部５２と対向する原稿面）およびそれに対応する用紙面（印刷結果）を示す。
【００４３】
すなわち，印刷画像については，中央寄せ等の画像位置の調節は行わない。手差し両面印刷処理では，一端が綴じられた冊子の１枚が読み取り対象となることが想定され，原稿９１の綴じ込み部９２側の端部付近まで読み取りきれないことも考えられる。その場合，中央寄せ等によって画像の位置を変更してしまうと，原本と一致しない画像となってしまい，ユーザの困惑を招く。そこで，印刷画像の位置が原本と一致するように印刷することで，これを回避する。
【００４４】
第１の形態の手差し両面印刷処理では，スキャン部５１とスキャン部５２との２つのスキャン部によって１回の搬送作業で原稿９１の両面の画像を読み取っている。さらに，用紙サイズを取得し，原稿９１をその用紙サイズに対応する搬送距離だけ搬送した後，搬送を停止している。すなわち，規定の搬送距離までしか原稿９１を挿入しない。よって，一端が綴じられた冊子の表裏ページの原稿であっても読み取り対象とすることができる。さらには，あらかじめユーザが用紙サイズを指定しており，そのサイズに適した搬送距離となるため，ユーザが期待する画像に近い画像が得られる。
【００４５】
［第２の形態］
続いて，手差し両面印刷処理の第２の形態について，図９のフローチャートを参照しつつ説明する。第２の形態では，搬送停止処理について，冊子の綴じ込み部９２の接近を検知して搬送停止を判断する。この点，搬送距離を基に搬送停止を判断する第１の形態とは異なる。なお，本形態も第１の形態と同様に，Ｓ１０４の両面読み取り開始後の処理であり，第１の形態と同様の処理については同じ符号を付している。
【００４６】
まず，綴じ込み検出センサ５７，５８の少なくとも一方が用紙束９０の接近を検知したか否か，すなわち冊子の綴じ込み部９２が接近したか否かを判断する（Ｓ２１１）。用紙束９０（冊子の綴じ込み部９２）を検知していない場合には（Ｓ２１１：ＮＯ），原稿９１の搬送を継続する。一方，用紙束９０を検知した場合には（Ｓ２１１：ＹＥＳ），すなわち綴じ込み部９２の接近を検知した場合には，搬送を停止する（Ｓ２０３）。
【００４７】
第２の形態の手差し両面印刷処理では，用紙束９０の接近を契機に，原稿９１の搬送を停止している。そのため，原稿９１に負荷がかかる前に搬送を停止することになり，原稿９１へのダメージを少なくすることが期待できる。
【００４８】
［第３の形態］
続いて，手差し両面印刷処理の第３の形態について，図１０のフローチャートを参照しつつ説明する。第３の形態では，搬送停止処理について，搬入ローラ５３の搬送抵抗を基に搬送停止を判断する。この点，搬送距離を基に搬送停止を判断する第１の形態や，冊子の用紙束９０の接近を検知する第２の形態とは異なる。なお，本形態も第１の形態と同様に，Ｓ１０４の両面読み取り開始後の処理であり，第１の形態と同様の処理については同じ符号を付している。
【００４９】
まず，搬入ローラ５３の搬送抵抗の閾値となる規定の搬送抵抗Ｒを取得する（Ｓ２２１）。この搬送抵抗Ｒは，例えば，ユーザが指定した原稿のタイプによって異なるように構成してもよく，この場合原稿のタイプごとにＭＦＰ１００のＮＶＲＡＭ３４に規定の搬送抵抗Ｒが記憶されている。次に，実際の搬送抵抗Ｒが規定の搬送抵抗Ｒよりも大きいか否かを判断する（Ｓ２２２）。実際の搬送抵抗Ｒが規定の搬送抵抗Ｒよりも小さい場合には（Ｓ２２２：ＮＯ），原稿９１の搬送を継続する。一方，実際の搬送抵抗Ｒが規定の搬送抵抗Ｒよりも大きい場合には（Ｓ２２２：ＹＥＳ），すなわち綴じ込み部９２等によってこれ以上の搬送ができない状態やユーザがこれ以上の搬入の望まず原稿９１を強く把持している状態では，搬送を停止する（Ｓ２０３）。
【００５０】
第３の形態の手差し両面印刷処理では，搬入ローラ５３の搬送抵抗Ｒが大きくなったところで，原稿９１の搬送を停止している。そのため，ユーザが手動で搬送停止を決定することができ，読取領域の自由度が大きい。また，綴じられた原稿９１の搬送を継続すると，綴じ込み部分９２が原稿９１の進入を阻むことによって搬送抵抗Ｒが増加する。そのため，原稿９１の搬送を自動的に停止することができる。よって，使い勝手が良い。
【００５１】
なお，第３の形態では，原稿９１のタイプを基に規定の搬送抵抗Ｒを決定する例を示したが，原稿９１のタイプに関係なく１つの搬送抵抗Ｒを利用するように構成してもよい。また，規定の搬送抵抗Ｒを大，中，小等の複数の抵抗値の中からユーザが選択するように構成してもよい。
【００５２】
［第４の形態］
続いて，手差し両面印刷処理の第４の形態について，図１１のフローチャートを参照しつつ説明する。第４の形態では，排紙処理について，搬入ローラ５３を逆回転させる。この点，搬入ローラ５３のニップを解除する第１の形態とは異なる。なお，本形態も第１の形態と同様に，Ｓ１０７の終了通知後の処理であり，第１の形態と同様の処理については同じ符号を付している。
【００５３】
まず，搬入ローラ５３を逆回転駆動し，原稿９１の逆搬送を開始する（Ｓ３１１）。その後，原稿検出センサ５５の検出結果などに基づき，原稿９１が排出されたか否かを判断する（Ｓ３０２）。原稿９１を検知している場合には（Ｓ３０２：ＮＯ），逆搬送を継続する。一方，原稿９１を検知しなくなった場合には（Ｓ３０２：ＹＥＳ），所定時間の経過後に逆搬送を停止する（Ｓ３１３）。
【００５４】
第４の形態の手差し両面印刷処理では，読み取り終了後に，搬入ローラ５３を逆回転させることで原稿９１を排紙している。そのため，原稿９１を容易に取り出すことができ，原稿９１へのダメージを少なくすることが期待できる。また，原稿９１の取り出し操作が軽減でき，原稿９１を容易に取り出せる。
【００５５】
以上詳細に説明したように実施の形態のＭＦＰ１００は，スキャン部５１とスキャン部５２との２つの読取手段を備えている。そして，読み取り対象となる原稿９１は，手差し口５９から挿入され，搬入ローラ５３によって各スキャン部５１，５２の読取位置に搬送される。そして，ＭＦＰ１００は，原稿９１の両面を読み取っている。すなわち，原稿９１の両面を１回の搬送作業で読み取っている。
【００５６】
また，ＭＦＰ１００は，第１の形態のように，取得したサイズに対応する搬送距離Ｌになるまで原稿９１を搬送し，その後は搬送を停止している。あるいは，第２，第３の形態のように，用紙束９０の綴じ込み部９２が近づいたことを検出（例えば，搬入ローラ５３の搬送抵抗が規定の搬送抵抗より大きい，あるいは綴じ込み検出センサ５７，５８が用紙束９０を検出）するまで原稿９１を搬送し，その後は搬送を停止している。つまり，原稿９１が手差し読取部５０の搬送路５６を通り抜けて下流側に排紙されることはない。そのため，冊子のような一端が綴じられた原稿９１であっても搬送対象とすることができる。勿論，綴じられている原稿９１をばらす必要もない。
【００５７】
なお，本実施の形態は単なる例示にすぎず，本発明を何ら限定するものではない。したがって本発明は当然に，その要旨を逸脱しない範囲内で種々の改良，変形が可能である。ＭＦＰに限らず，スキャナ，コピー機，ＦＡＸ装置等，画像読取機能を備えるものであれば適用可能である。
【００５８】
また，実施の形態では，ＭＦＰ１００の側面に手差し口５９を設け，水平方向に原稿９１を挿入しているが，これに限るものではない。例えば，装置の上面に手差し口を設け，トースターのように上下方向に原稿を挿入するように構成してもよい。
【００５９】
また，実施の形態では，原稿９１の搬送距離，用紙束９０の接近，あるいは搬入ローラ５３の搬送抵抗によって原稿９１の搬送停止タイミングを自動的に決定しているが，これらに限るものではない。例えば，操作パネル４０に搬送停止用のボタンを設け，そのボタンの押下によって手動で搬送を停止させてもよい。
【００６０】
また，実施の形態では，ＡＤＦ２２やフラットベッドによる読取用のスキャン部２１と，手差し両面読取用のスキャン部５１，５２とを別々に設けているが，これに限るものではない。例えば。スキャン部２１が手差し読取部５０のスキャン部５１，５２のいずれか一方を兼ねるように構成してもよい。
【００６１】
また，実施の形態では，手差し口５９の近傍に綴じ込み検出センサ５７，５８を設けているが，３つ以上配置してもよい。また，綴じ込み検出センサ５７，５８はいずれか一方のみであってもよい。また，綴じ込み検出センサ５７，５８は，第２の形態を実施する場合に必要な部材であり，その他の形態では必要としない。そのため，綴じ込みセンサ５７，５８は，適宜，削除してもよい。
【図面の簡単な説明】
【００６２】
【図１】実施の形態にかかるＭＦＰの外観を示す図である。
【図２】ＭＦＰの画像形成部の構成を示す断面図である。
【図３】実施の形態にかかるＭＦＰの電気的構成を示すブロック図である。
【図４】第１の形態における手差し両面コピー処理の手順を示すフローチャートである。
【図５】手差し両面コピー処理開始時の表示部の表示例を示す図である。
【図６】第１の形態における搬送終了処理１の手順を示すフローチャートである。
【図７】第１の形態における排紙処理１の手順を示すフローチャートである。
【図８】印刷結果のイメージを示す図である。
【図９】第２の形態における搬送終了処理２の手順を示すフローチャートである。
【図１０】第３の形態における搬送終了処理３の手順を示すフローチャートである。
【図１１】第４の形態における排紙処理２の手順を示すフローチャートである。
【符号の説明】
【００６３】
１０    画像形成部
２０    画像読取部
３０    制御部
４１    表示部
５０    手差し読取部
５１，５２  スキャン部
５３    搬入ローラ
５５    原稿検出センサ
５７    綴じ込み検出センサ
５８    綴じ込み検出センサ
５９    手差し口
９０    用紙束
９１    原稿
９２    綴じ込み部
１００  ＭＦＰ
【図１】
2010124116.tif 000003
【図２】
2010124116.tif 000004
【図３】
2010124116.tif 000005
【図４】
2010124116.tif 000006
【図５】
2010124116.tif 000007
【図６】
2010124116.tif 000008
【図７】
2010124116.tif 000009
【図８】
2010124116.tif 000010
【図９】
2010124116.tif 000011
【図１０】
2010124116.tif 000012
【図１１】
2010124116.tif 000013